(57)【要約】【課題】  玄関などの通用口付近の夏季における熱気の滞留を有効に防止して、快適な生活環境を確保するとともに、防犯および防虫効果に優れ、しかも、火災の発生時に火災流の流出のおそれのない、防災上きわめて安全かつ堅固で長寿命な通気性扉を提供する。【解決手段】  玄関などの通用口１を開閉する金属製扉本体２と、この扉本体に形成された通風口４と、この通風口を閉塞して上記扉本体に装着された多数の通気孔５ａを有する金属製通気板５と、この通気板の内側に対向配設されて前記扉本体に装着された防虫網７と、この防虫網の内側に対向配設されて前記扉本体に装着されるとともに前記通風口を開閉可能に閉塞する手動操作式開閉具Ｂとを具備し、上記開閉具は、前記扉本体に上端部が回動可能にヒンジ支持された片開式金属板８と、この金属板を吊持して前記通風口を開放するとともに火災流で切断される吊持部材１０とを備えたことを特徴とする。【選択図】    図２
0003119842.tif 000002
【実用新案登録請求の範囲】
【請求項１】
玄関などの通用口を開閉する金属製扉本体と、この扉本体に形成された通風口と、この通風口を閉塞して上記扉本体に装着された多数の通気孔を有する金属製通気板と、この通気板の内側に対向配設されて前記扉本体に装着された防虫網と、この防虫網の内側に対向配設されて前記扉本体に装着されるとともに前記通風口を開閉可能に閉塞する手動操作式開閉具とを具備し、上記開閉具は、前記扉本体に上端部が回動可能にヒンジ支持された片開式金属板と、この金属板を吊持して前記通風口を開放するとともに火災流で切断される吊持部材とを備えたことを特徴とする通気性扉。
【請求項２】
前記金属板の上方における前記扉本体に上下方向へ間欠的に固定された複数段の係止部材を備え、前記吊持部材は、上端部にフック部材を連結してなる金属製部材から構成され、この金属製部材の下端部を前記金属板に連結するとともに、これら上下端部間を分割して、その分割部を低温溶融金属で固定したことを特徴とする請求項１に記載の通気性扉。
【請求項３】
前記金属製通気板と防虫網とがユニットとして一体的に着脱可能に装着されていることを特徴とする請求項１または２に記載の通気性扉。
【考案の詳細な説明】
【技術分野】
【０００１】  この考案は、たとえば集合住宅の玄関ドアーのような扉に通気性をもたせた通気性扉に関するものである。
【背景技術】
【０００２】  一的に、鉄合金のような金属製の扉を備えた玄関付近は、夏季において熱気が滞留し易く、好ましい生活環境とはいえない現状である。
たとえば、鉄筋コンクリートで構築された集合住宅において、玄関ドアーに連なる廊下の両側に複数の部屋が存在する場合に、これら各部屋の扉を冷房機器の使用などで閉じると、中央部の廊下は遮断された密閉空間となり、これが夏季における熱気滞留の要因となる。
しかも、この密閉空間は、金属製玄関ドアーが太陽の直射日光を受けて高温になると、熱気の滞留が一層著しくなって暑苦しくなるばかりでなく、これに隣接する他の部屋における冷気が温められて冷却効果を低下させたり、冷房機器の電力消費を高めるという課題がある。【０００３】  従来、これを改善するために、この玄関ドアー付近に形成される密閉空間の通気性を高めるために、通風口を設けた各種の玄関ドアーが開示されている。
しかしながら、このような玄関ドアーに通風口を設けた場合、火災の発生時に、この通風口を通じて火災流が流出し、他の住民などの非難を妨害して、不測の２次災害を誘発するおそれがあり、防災上きわめて重大な課題がある。
【考案の開示】
【考案が解決しようとする課題】
【０００４】  この考案は上記課題を解消するためになされたもので、玄関などの通用口付近の夏季における熱気の滞留を有効に防止して、快適な生活環境を確保するとともに、防犯および防虫効果に優れ、しかも、火災の発生時に火災流の流出のおそれのない、防災上きわめて安全かつ堅固で長寿命な通気性扉を提供することを目的とする。
【課題を解決するための手段】
【０００５】  請求項１に記載の通気性扉は、玄関などの通用口を開閉する金属製扉本体と、この扉本体に形成された通風口と、この通風口を閉塞して上記扉本体に装着された多数の通気孔を有する金属製通気板と、この通気板の内側に対向配設されて前記扉本体に装着された防虫網と、この防虫網の内側に対向配設されて前記扉本体に装着されるとともに前記通風口を開閉可能に閉塞する手動操作式開閉具とを具備し、上記開閉具は、前記扉本体に上端部が回動可能にヒンジ支持された片開式金属板と、この金属板を吊持して前記通風口を開放するとともに火災流で切断される吊持部材とを備えたことを特徴とする。【０００６】  この構成によれば、開閉具を手動操作して扉本体の通風口を開放することにより、外気が通気板および防虫網を通って玄関などの通用口に流入させ、たとえば夏季における玄関付近の熱気の滞留を有効に防止して、快適な生活環境を確保することができる。
また、扉本体の通風口は金属製通気板で閉塞することにより、防犯効果に優れるとともに、その内側に配設された防虫網でもって害虫の侵入を有効に防止することができる。
さらに、前記吊持部材は所定の高温状態で切断される構成としたから、火災発生時における火災流で切断されて、前記扉本体の通風口を前記金属板で閉塞することができ、上記通風口を通じて火災流が流出し、他の住民などの非難を妨害して、不測の２次災害を誘発するのを有効に防止することができ、防火戸としての機能を満たすことができる。
しかも、開閉具は手動操作式であることにより、電動機などを具備することなく、堅固で耐用年数に優れ、長寿命である。【０００７】  請求項２に記載の通気性扉は、請求項１に記載の通気性扉において、前記金属板の上方における前記扉本体に上下方向へ間欠的に固定された複数段の係止部材を備え、前記吊持部材は、上端部にフック部材を連結してなる金属製部材から構成され、この金属製部材の下端部を前記金属板に連結するとともに、これら上下両端部間を分割して、その分割部を低温溶融金属で固定したことを特徴とする。
この構成によれば、火災発生時における火災流で低温溶融金属が溶断されて、前記扉本体の通風口を前記金属板で迅速に閉塞し、上記通風口からの火災流の流出を有効に防止することができる。
また、上記吊持部材は金属製であるから堅固で耐用年数に優れ、長寿命である。【０００８】  請求項３に記載の通気性扉は、請求項１または２に記載の通気性扉において、前記金属製通気板と防虫網とがユニットとして一体的に着脱可能に装着されていることを特徴とする。
この構成によれば、金属製通気板と防虫網の汚れで通気性が悪化したり破損した場合、これをユニットとして取り出し、清潔に掃除したのち、再度、通気性を確保したり、修理して装着使用することができる。
【考案の効果】
【０００９】  この考案は、前述のとおり、玄関などの通用口付近の夏季における熱気の滞留を有効に防止して、快適な生活環境を確保するとともに、防犯および防虫効果に優れ、しかも、火災の発生時に火災流の流出のおそれのない、防災上きわめて安全かつ堅固で長寿命な通気性扉を提供することができる。
【考案を実施するための最良の形態】
【００１０】  図１はこの考案による通気性扉の一例を示す正面図である。
同図において、通気性扉Ａは、玄関などの通用口１を開閉する金属製扉本体２に、たとえば郵便受け３の下方において通風口４が形成され、この通風口４を金属製通気板５で閉塞して、金属枠６を介し装着されている。【００１１】  図２は図１のＣ−Ｃ線に沿って示す縦断面図である。
同図において、上記通気板５は、前記金属製の通風口枠６における通風口４に位置して、多数の通気孔５ａを有し（図３参照）、かつ、その内側に対向させて防虫網７が装着され、さらに、この防虫網７の内側に対向させて、手動操作式開閉具Ｂ、すなわち片開式金属板８が前記扉本体２にヒンジ部材９で支持され、通風口４を開閉可能に閉塞するように構成されている。【００１２】  すなわち、上記通気性扉Ａは、玄関などの通用口１を開閉する金属製扉本体２と、この扉本体２に形成された通風口４と、この通風口４を閉塞して上記扉本体２に装着された多数の通気孔５ａを有する金属製通気板５と、この通気板５の内側に対向配設されて前記扉本体に装着された防虫網７と、この防虫網７の内側に対向配設されて前記扉本体２に装着されるとともに前記通風口４を開閉可能に閉塞する手動操作式開閉具Ｂとを具備し、上記開閉具Ｂは、前記扉本体２に上端部がヒンジ部材９に回動可能にヒンジ支持された金属板８と、この金属板８を吊持して前記通風口４を開放するとともに火災流で切断される吊持部材１０とを具備する。【００１３】  上記通気性扉Ａには、金属板８の上方における扉本体２に上下方向へ間欠的に固定された４段の係止部材１１Ａ〜１１Ｄを備える。
上記吊持部材１０は、上端部にフック部材１２を連結してなる、たとえば複数本の金属製ロッド１３を可動の連結部材１４で連結し、その下端部を前記金属板８に連結するとともに、これら上下両端部間を分割して、その分割部を低温溶融金属１５（図５参照）で固定して構成されている。
また、前記扉本体２には、前記金属板８を吸着す永久磁石１６が前記通風口枠６の内側面に設けられている。【００１４】  上記構成において、上記吊持部材１０のフック部材１２を、たとえば最上段の係止部材１１Ａに係止させることにより、実線で示すように、前記金属板８を吊持して前記通風口４を全開して開放することができる。
また、上記吊持部材１０のフック部材１２を、他の中間段の各係止部材１１Ｂ，１１Ｃに係止させることにより、仮想線で示すように、前記金属板８を吊持して前記通風口４を段階的に縮小して開放することができる。
さらに、上記吊持部材１０のフック部材１２を、最下段の係止部材１１Ｄに係止させることにより、図４で示すように、前記金属板８の吊持を解除して前記通風口４を閉塞することができる。【００１５】  上記構成によれば、開閉具Ｂを手動操作して扉本体２の通風口４を開放することにより、外気が通気板５および防虫網７を通って玄関に流入、または室内気が外部へ流出し、たとえば夏季における玄関付近の熱気の滞留を有効に防止して、快適な生活環境を確保することができる。
また、扉本体２の通風口４は金属製通気板５で閉塞することにより、防犯効果に優れるとともに、その内側に配設された防虫網７でもって害虫の侵入を有効に防止することができる。【００１６】  他方、上記構成によれば、火災発生時における火災流で低温溶融金属部１５が溶断されて、前記扉本体２の通風口４を前記金属板８で迅速に閉塞し、上記通風口４からの火災流の流出を有効に防止することができる。
また、通気性扉Ａには、前記金属板８を前記扉本体２に吸着させる永久磁石１６を設けたから、前記通風口４を前記金属板８で迅速かつ気密に閉塞し、上記通風口４からの火災流の流出を一層有効に防止することができる。しかも、この密閉動作でもって、冬季における外気圧による寒風が、室内に流入するのを有効に防止することができる。
さらに、吊持部材１０は金属製であり、開閉具Ｂは手動操作式であることにより、電動機などを具備することなく、堅固で耐用年数に優れ、長寿命である。【００１７】  また、前記金属製通気板５と防虫網７とは、ユニットとして一体的に着脱可能に装着されているから、前記金属製通気板と防虫網の汚れで通気性が悪化したり、破損した場合、これをユニットとして取り出し、清潔に掃除したのち、再度、通気性を確保したり、修理して装着使用することができる。
なお、上記構成において、吊持部材１０は金属製に代えて、難燃性の合成樹脂製であっても、可燃性の紐であってもよい。
【図面の簡単な説明】
【００１８】
【図１】この考案による通気性扉の一例を示す正面図である。
【図２】図１のＣ−Ｃ線に沿う縦断面図である。
【図３】同扉に装着される通気板の一例を示す要部の正面図である。
【図４】同扉に装着される吊持部材の一例を示す要部の断面図である。
【図５】同扉の動作を説明する縦断面図である。
【符号の説明】
【００１９】  Ａ  通気性扉
Ｂ  手動操作式開閉具
１  通用口
２  扉本体
４  通風口
５  金属製通気板
５ａ  通気孔
５ｂ  掃除口
６  通風口枠
７  防虫網
８  片開式金属板
９  ヒンジ部材
１０  吊持部材
１１  複数段の係止部材
１２  フック部材
１５  低温溶融金属
１６  永久磁石
【図１】
0003119842.tif 000003
【図３】
0003119842.tif 000004
【図５】
0003119842.tif 000005
【図２】
0003119842.tif 000006
【図４】
0003119842.tif 000007